(57)【要約】      （修正有）【課題】ベッドや布団などで中々、便通をもようす事が困難な方達にベッドや布団などのパッドとして活用する事で、自然体で便通をもようす介護用具や介護用品を提供する。【解決手段】排便を促す為にベッドや布団そして便座用のパッド１などに振動波及び移動装置２、センサー付き温熱体３や報知装置付きコントローラー５により、不自由な体へ適度な加温効果や振動波や移動装置２、そしてこれらが、あたかも電気のネオンサインの様な変化をかもし出す事で、知らず知らずの内に、弱まった体に活気が蘇るそんな手段で構成する。【選択図】    図１
2006167381.tif 000002
【特許請求の範囲】
【請求項１】
本発明は寝具用の介護用具としての発明です。トイレで排泄行為を果たす際に、なかなか大便などが出ない事で、これまでに多くの方達が便座に座ったまま、大変に辛い思いをした経験が有るかと思います。特に寒い季節などはこのような事が一層多いでしょう。特に、高齢者の方達には切実な悩みの一つでしょう。そこで本発明はこれらの悩みを改善する為の発明です。（１）ベッドや布団などシーツ用の柔らかい素材から成るパッド本体及び、（９）便座用の柔らかい素材から成るパッド本体の内部へ、（２）又は（２−１）の振動波及び移動装置と、（３）又は（３−１）のセンサー付き温熱体を施し、更には（５）報知装置付きコントローラー本体で適度な動きや温度などを制御する事で、冷えたお尻に対して心地良い振動波やもぞもぞとした感触などと、適度に加温された加温効果などから、お尻へ伝わる感触と感覚は多大なる効果をあらわす事が可能となります。この感触は極めて快適なもので、自然に便通をもようす事ができます。これまで一人暮しの方が便所まで移動をする事は、健康的な健常者と比べて、排便の行為を実施する事は言葉で説明が困難な、大変につらい事でしょう。本発明はこれら体に不自由を感じてる方達に大変に朗報な発明です。更に、寝たきり老人や体が不自由な人達の看護などで、常に付ききりの方達に対して、これまで以上に介護活動が大変楽に成ります。尚、本発明の形や大きさ材質等に一切の制約等は有りません。
【請求項２】
本発明は、電源はＡＣ−１００Ｖを使いますが、（１）ベッドや布団などシーツ用の柔らかい素材から成るパッド本体及び、（９）便座用の柔らかい素材から成るパッド本体の内部へは、ＡＣ−１００Ｖと異なる、例えばＤＣ−１２ＶとかＤＣ−２４Ｖなどから成り、中には特殊なパルス波を活用した特殊な電源などを活用します。その理由に次の様な事が有ります。従来は（２）などの振動波及び移動装置から伝わる振動波は、予め設定された常に安定した振動波制御が一般的でした。本発明は従来と同様、予め設定する行為は必要ですが、振動波や移動の度合いを単に一定にするだけで無く、（１）及び（９）のパッドの中へ、（２）振動波及び移動の度合いの設定値と、（２−１）振動波及び移動の度合いの設定値が、それぞれ異なった設定値に合わせる事が可能な為、（１）及び（９）のパッドには複数の、振動波や移動の度合いの環境を作り出す事が出来ます。そして、この、振動波や移動の変化は特にお尻（肛門の付近）に重点を置いて幾つかの段階で設定が可能な（５）報知装置付きコントローラー本体に組込む事で、例えで説明すると光のネオンサインの様な、振動波や移動の度合いのネオンサイン的な変化や効果の作り出す事が出来ます。又この振動波などにより（１２）心地よい香りなどを発するユニット及び（１３）不快な匂いなどを吸収するユニットに刺激を与える事で素敵な香りを発し、反面で糞や尿などの嫌な匂いなどを吸収する事により、ベッドや布団そしてトイレなどを適度な環境衛生を作り出す事が可能です。更には、この様な振動波や移動の度合いの変化をさせる事で、お尻（肛門の付近）に伝わるファジー的な刺激により、便通に対して心地良い誘い効果をそそる発明です。更に、これらの振動波や移動などにより、血液の循環を良くするマッサージ的な相乗効果などが可能と成ります。
【請求項３】
本発明は、電源はＡＣ−１００Ｖを使いますが、（１）ベッドや布団などシーツ用の柔らかい素材から成るパッド本体及び、（９）便座用の柔らかい素材から成るパッド本体の内部へは、ＡＣ−１００Ｖと異なる、例えばＤＣ−１２ＶとかＤＣ−２４Ｖなどから成り、中には特殊なパルス波を活用した特殊な電源などを活用します。その理由に次の様な事が有ります。従来は（３）などのセンサー付き温熱体から伝わる温度は、予め設定された常に安定した温度制御が一般的でした。本発明は従来と同様、予め設定する行為は必要ですが、温度を単に一定にするだけで無く、（１）及び（９）のパッド内へ、（３）温熱体１の温度設定値と、（３−１）温熱体２の温度設定値が、それぞれ異なった設定値に合わせる事が可能な為、（１）及び（９）のパッドには複数の温度環境を作り出す事が出来ます。そして、この温度変化を幾つかの段階で設定が可能な（５）報知装置付きコントローラー本体に組込む事により、例えで説明すると、光のネオンサインの様な、温度のネオンサイン的な変化や効果の作り出す事が出来ます。本発明はこの様に温度の移動や変化をさせる事で、お尻（肛門の付近）に伝わるファジー的な刺激により、便通に対して心地良い誘い効果をそそる発明です。更に、これらの温熱は常に一定の加温と異なり、低温火傷（ていおんやけど）事故の減少に役立ち、血液の循環を良くするマッサージ的な相乗効果などが可能と成ります。
【請求項４】
本発明は、（１）ベッドや布団などシーツ用の柔らかい素材から成るパッド本体及び、（９）便座用の柔らかい素材から成るパッド本体の内部へ、（１１）排泄物などの湿度センサーを施す事で介護を受けている方達が、排泄物を出した時（５）報知装置付きコントローラー本体に組込まれたブザーなどの報知機器よりアラームを促し、近隣の方や介護者へ報知する事で、オムツかぶれなどの原因を未然に対処が可能な発明です。
【発明の詳細な説明】
【技術分野】
【０００１】本発明は一般的な介護の用具と異なり、心身から自然な感覚や感触で便通をもようす為の用具で、外部から無理に体に圧力や圧迫感を与える事も無く、心身からリラックスした感じで便通や通じ効果を高める為の、癒しとリラックスを考えた介護用具です。
【背景技術】
【０００２】本発明の背景技術は、従来の便座などの様に加温装置や加温機器付き便座としてこれまでに様々な製品が有りました。そこで本発明を従来の製品と比較して大きく異なる点に、単純に一定温度に加温状態を維持するだけで無く、（３）又は（３−１）のセンサー付き温熱体を適度な温度の変化とその温度を移動や変化と言う形で、まるで電気を使ったネオンサインに大変に良く似た、変化や移動量などを取込んだ新しい技術から成ります。その他温度以外として、（２）又は（２−１）から成る振動波及び移動の度合いを取込んだ、従来には無い、全くの新技術を組込む事で、介護用品に新しい旋風を巻き起こす技術です。【０００３】本発明は高度な技術と高価な事が当然とされている介護用具や介護用品の昨今ですが、そんな事が当然とされた分野へ、本発明は、これまでに無かった新しいを発想から成り立つ新技術とデザインを、そして様々な癒しの度合いを高めたアイデアなどを考慮した発明です。最大の目的や目標として、低価格を更に超と言う文字を付け加えても良い程の超低価格で、体の不自由な方達へ様々な貢献が考えられる事を期待が出来る素敵な発明です。
【特許文献１】特開２０００−０９３４８４
寝たきり老人の排便処理を容易とした介護用簡易洗浄器を提供することを目的．．．．【特許文献２】特開２００３−３１９９７５
車椅子のまま直接大・小便を排泄処理でき、オムツを使わず洗浄・乾燥・排泄．．．．．【特許文献３】特開２００２−３０１０９８
患者のおむつ内の排泄状況を検知し、その検知した情報を看護・介護者などへ．．．．【特許文献４】特開２００２−１４３１９９
排尿か排便かを精度良く識別して検知し、介護対象者が不快になることがなく．．．．．【特許文献５】特開平０９−３０８６５７
本発明は、寝たきりの重症者・老人及び宇宙・高所空間、高山または深海領域．．．．．【特許文献６】特開平０９−１３５８６７
病弱者が床ずれを発生せず、入浴および排便と洗浄を容易に行ない得て長期間．．．．．
以上特許文献１から特許文献６迄の内容を、特許庁データベースより検索致しました。そして、本発明と原理も仕掛けも全く異なる発明です。類似特許検索で、誰が見ても異なりますが、あえて異なる点を申上げ致しました。
【発明の開示】
【発明が解決しようとする課題】
【０００４】本発明は、これまでの排便を促す為の介護用具や介護用品は、何かと法外とも感じる高価、高額が付きまといます。そこで、本発明はこれらの間違った常識感覚を大きく変化させたい、しめさせなくては成らないとの使命感を考えた発明です。体が不自由な方達へ、特に高齢者の方達がトイレで用を果たそうとしても、中々、排便が困難で有ったり、まして寒い日は健常者でも便座へ着座するの事は辛いです。又、ベッドや布団などの中で便通をもようす事が困難な方達へ、（１）ベッドや布団などのパッドとして活用する事により、自然体から便通をもようす事が可能な為に本人は当然の事、本発明の効果は周囲で介護を施される方達に対しても相乗効果が高まります。更に、便秘などで悩んでる方へ体の癒効果など本発明がもたらす可能性は極めて大きいです。
【課題を解決するための手段】
【０００５】本発明が課題とする解決の手段は、排便を促す為の介護用具や介護用品は、他の用具などと比較して特別に高価．高額な物です。その排泄．排便を促す（１）や（９）のベッドや布団そして便座用のパッドなど本発明は極めて安価で、更には排便の効果や効率を高めるだけでは無く、体に対して充分な癒効果を考慮したデザインに、本発明は（２）及び（２−１）振動波及び移動装置、（３）及び（３−１）センサー付き温熱体や（５）報知装置付きコントローラーにより、不自由な体へ適度な加温効果や振動波や移動装置、そしてこれらが、あたかも電気のネオンサインの様な変化をかもし出す事で、知らず知らずの内に、弱まった体に活気が蘇るそんな手段から成る発明です。
【発明の効果】
【０００６】本発明の効果として、寒い季節などは冷えたトイレなどの便座に着座する行為は辛いものです。本発明はそんな所や事例などを着目した発明です。これらはトイレに限られた事で無く、例えば便秘気味の方達へ、（１）のパッドをベッドや布団などに施す事で適度な加温や振動波効果などの働きから、知らず知らずの間に自然体で便通をもようす事が可能と成ります。
【発明を実施するための最良の形態】
【０００７】本発明は、これまで介護用具や介護用品は何かと高価．高額が当然と言った感覚でした。そこで本発明はこれまでの感覚と多いに異なり、何かと大掛かりな仕掛けを要する事も無く、本発明は極めて小規模でいつでも何処でもセットが簡単で、しかも超低価格にて、体の不自由な方達や便秘などで悩んだ方達に大変重宝な発明です。さらにはこの効果は介護活動で悩み疲れてる方達へも大変朗報な発明で、本発明は様々な形で実施（使用）する事が出来て、様々な介護活動、介護生活面でも大変に最良の形態と成ります。
【実施例１】
【０００８】本発明の実施例１として体が不自由で寒い季節などトイレの便座や、便秘で悩んでる方達の排泄行為で、心地よい便通感覚を高める為の介護用具や介護用品としての活用が最も適しております。
【産業上の利用可能性】
【０００９】本発明は高齢者や体の不自由な方達へ、これまでの大掛かりな設備や装置とは異なり、極めて小規模な仕掛けで低価格にて提供が可能な為、介護用具や介護用品の産業への利用可能性は大変に素晴らしい本発明です。
【図面の簡単な説明】
【００１０】
【図１】  本発明の上面図（透視したイメージ図１）
【図２】  本発明の上面図（透視したイメージ図２）
【図３】  本発明の側面図（透視したイメージ図３）
【符号の説明】
【００１１】  （１）ベッドや布団などシーツ用の柔らかい素材から成るパッド本体
（２）振動波及び移動装置１（複数組みから成ります）
（２−１）振動波及び移動装置２（複数組みから成ります）
（３）センサー付き温熱体１（複数組みから成ります）
（３−１）センサー付き温熱体１（複数組みから成ります）
（４）コントロールケーブル            （５）報知装置付きコントローラー本体
（６）電源コード                      （７）電源コンセント
（８）脱着用のプラグ          （９）便座用の柔らかい素材から成るパッド本体
（１０）吸着板などから成る脱着パッド    （１１）排泄物などの湿度センサー
（１２）心地よい香りなどを発するユニット
（１３）不快な匂いなどを吸収するユニット
【図１】
2006167381.tif 000003
【図２】
2006167381.tif 000004
【図３】
2006167381.tif 000005